(57)【要約】【課題】貯氷庫内の氷結した氷を容易に砕き得ると共に、該氷の掻き出し作業を効率的に行ない得る氷取出スコップを提供する。【解決手段】氷取出スコップ３０の受容部１４の一端部に、氷の取出作業の際に掴むグリップ１６が設けられると共に、他端部に破砕部３６が設けられる。前記受容部１４の一端部に、前記グリップ１６とは別に、受容部１４の上部開口１２の上側に向けて延在する第２のグリップ３８を設ける。前記第２のグリップ３８は、氷を取出す際に干渉して取出し作業の邪魔にならないと共に、使用者が該第２のグリップ３８を掴むことで、前記破砕部３６が該氷に指向するよう構成される。【選択図】図１
2005274064.tif 000002
【特許請求の範囲】
【請求項１】
貯氷庫(18)に貯蔵されている氷(20)を掬う上部開口(12)を有する受容部(14)と、該受容部(14)の一端部に設けられて外方に延在するグリップ(16)とを備える氷取出スコップ(30)において、
前記受容部(14)に、前記一端部から前記上部開口(12)の上側に向けて延在する第２のグリップ(38)を設けた
ことを特徴とする氷取出スコップ。
【請求項２】
貯氷庫(18)に貯蔵されている氷(20)を、上部開口(12)を有する受容部(14)で掬い出す氷取出スコップ(44)において、
前記受容部(14)の一端部に回動可能に設けられ、該受容部(14)から外方に延在する第１位置と、前記上部開口(12)の上側に臨む第２位置との間を回動する可動グリップ(46)と、
前記受容部(14)および可動グリップ(46)に設けられ、該可動グリップ(46)を第１位置および第２位置に位置決めする位置決め手段(68)とから構成した
ことを特徴とする氷取出スコップ。
【請求項３】
前記位置決め手段(68)は、前記可動グリップ(46)に形成された孔部(48a)と、前記受容部(14)に設けられ、前記孔部(48a)に係脱自在に係合する係合突部(60)とから構成される請求項２記載の氷取出スコップ。
【発明の詳細な説明】
【技術分野】
【０００１】
この発明は、氷取出スコップに関するものであって、更に詳細には、貯氷庫に貯蔵されている氷を取出す氷取出スコップに関するものである。
【背景技術】
【０００２】
例えば喫茶店やレストラン等の厨房には、冷凍系に接続する製氷機構により氷を連続的に製造し、得られた氷を、この製氷機構の下方に配設した貯氷庫に堆積貯留するようにした自動製氷機が好適に使用されている。そして貯氷庫内に貯留された氷は、製氷機に付属の氷取出スコップを使用して掬い出すようになっている。
【０００３】
図６は、従来から使用されている氷取出スコップ１０の一例を示したものであって、貯氷庫１８の氷２０を掬う上部開口１２を有する受容部１４と、該受容部１４の一端部に設けられて外方に延在するグリップ１６とを備えている(特許文献１参照)。そして、氷２０を貯氷庫１８から取出す際には、図７(ａ)に示すように、使用者は該貯氷庫１８の扉２２を傾倒して開放した氷取出口２４から腕２６を挿入し、該貯氷庫１８内部に備えられた前記氷取出スコップ１０のグリップ１６を掴んで氷２０の取出し作業を行なうようになっている。
【０００４】
また、前記貯氷庫１８内の氷２０は、時間の経過と共にお互いが氷結して氷塊２８になることがある。このような場合には、前記氷取出スコップ１０における受容部１４の先端で前記氷塊２８を砕き、分離した氷２０を該スコップ１０で掬って取出すことが多い。その際には、通常の氷取出スコップ１０の持ち方で該氷塊２８を砕くよりも、図７(ｂ)に示すように、該氷取出スコップ１０の上部開口１２が使用者側に対向するよう前記グリップ１６を持ち替え、前記氷塊２８に該スコップ１０を上方から叩きつけるようにした方が、力を加え易く、該氷塊２８を砕く作業を効率的に行ない得る。また、前記貯氷庫１８の氷取出口２４から奥に堆積した氷２０を手前に掻き出す際にも、前述のように上部開口１２が使用者側に対向するよう前記氷取出スコップ１０を持った方が、該氷２０の掻き出し作業を容易に行ない得る。
【特許文献１】特開平９−２４３２２１号公報
【発明の開示】
【発明が解決しようとする課題】
【０００５】
ところが、前述したように前記氷取出スコップ１０を持ち替えて氷塊２８を砕く作業を行なう場合、図７(ｂ)に示すように、通常の取出し作業に比べて、該貯氷庫１８に使用者の腕２６を深く挿入せねばならず、大変煩わしかった。また、氷２０の掻き出し作業を行なう際も同様であり、該貯氷庫１８の底面積が大きい場合には、前記氷取出スコップ１０が氷２０に届かないこともあった。
【０００６】
すなわち本発明は、前述した従来の技術に内在している前記課題に鑑み、これを好適に解決するべく提案されたものであって、貯氷庫の内部で氷結した氷を効率的に砕き得ると共に、貯氷庫の奥にある氷を容易に掻き出すことを可能とする氷取出スコップを提供することを目的とする。
【課題を解決するための手段】
【０００７】
前記課題を克服し、所期の目的を達成するため、本発明に係る氷取出スコップは、
貯氷庫に貯蔵されている氷を掬う上部開口を有する受容部と、該受容部の一端部に設けられて外方に延在するグリップとを備える氷取出スコップにおいて、
前記受容部に、前記一端部から前記上部開口の上側に向けて延在する第２のグリップを設けたことを特徴とする。
【０００８】
前記課題を克服し、所期の目的を達成するため、別の発明に係る氷取出スコップは、
貯氷庫に貯蔵されている氷を、上部開口を有する受容部で掬い出す氷取出スコップにおいて、
前記受容部の一端部に回動可能に設けられ、受容部から外方に延在する第１位置と、前記上部開口の上側に臨む第２位置との間を回動する可動グリップと、
前記受容部および可動グリップに設けられ、該可動グリップを第１位置および第２位置に位置決めする位置決め手段とから構成したことを特徴とする。
【発明の効果】
【０００９】
本発明に係る氷取出スコップによれば、受容部に、上部開口の上側に向けて延在する第2のグリップを設けたので、使用者は腕を貯氷庫にそれほど深く挿入することなく、氷塊を砕いたり掻き出す作業を効率的に行ない得る。
【００１０】
また、別の発明に係る氷取出スコップによれば、前記効果とは別に、更に使用状況によって可動グリップの位置を変えるため、氷を掬う際に該グリップが邪魔となることはない。また、可動グリップの位置決め手段が、該可動グリップに設けられた孔部と、受容部に設けられた係合突部とから構成されるので、該可動グリップの姿勢変形を容易に行ない得ると共に、該グリップを確実に位置決めすることができる。
【発明を実施するための最良の形態】
【００１１】
次に、本発明に係る氷取出スコップにつき、好適な実施例を挙げて、添付図面を参照しながら以下説明する。なお、従来技術と同一の部材については同じ符号を付し、詳細説明は省略する。また、本発明に係る氷取出スコップは、製氷機の種類や製造される氷の形状等に拘らず実施可能である。
【実施例１】
【００１２】
図１に示すように、実施例１に係る氷取出スコップ３０は、氷２０を掬う受容部１４と、該受容部１４の接続部３２に設けられて外方に延在する第１のグリップ１６とを備えている。
【００１３】
前記受容部１４は、断面が台形状で氷２０を収容するよう形成されると共に、その上面に、上部開口１２が矩形状に開設されている。また、前記受容部１４の先端には、前記貯氷庫１８の底部に倣わせることで効率的に氷２０を掬い得ると共に、氷結した氷２０を砕き得るよう鋭角に形成された破砕部３６が設けられている。
【００１４】
また、前記受容部１４の破砕部３６と対向する基端面(一端部)に設けられた接続部３２に、所要長さだけ外方に延在する第１のグリップ１６が取付けられており、氷２０を前記貯氷庫１８より取出す際には、図２(ａ)に示すように、使用者は該第１のグリップ１６を掴んで氷２０の取出し作業を行ない得るよう構成されている。なお、この第１のグリップ１６および前記受容部１４の形状・構成については、実施例１に限定されることはなく、取出す氷２０および貯氷庫１８の形状等に合わせて適宜選択可能である。
【００１５】
更に、前記受容部１４の接続部３２には、該接続部３２から前記上部開口１２の上側に向けて延在する第２のグリップ３８が設けられている。この第２のグリップ３８は、図２(ａ)に示すように、使用者が前記第１のグリップ１６を掴んで貯氷庫１８の氷２０を掬う際に、該第２のグリップ３８が干渉して氷２０が前記受容部１４に入るのを妨げないよう所要角度で屈曲している。すなわち第２のグリップ３８は、前記受容部１４の上面に対して、先端に向けておおきな第１角度で傾斜するよう立上がった後、該第１角度より小さい第２角度で屈曲して所定長さ延在して、前記上部開口１２から大きく離間している。また、前記第２のグリップ３８は、図２(ｂ)に示すように、使用者が前記第１のグリップ１６から該第２のグリップ３８へと持ち替えた際に、前記受容部１４の上部開口１２が使用者側に対向すると共に、前記破砕部３６が下方へ(氷塊２８へ向けて)指向するよう設定されている。
【００１６】
〔実施例１の作用〕
次に、前述した実施例１に係る氷取出スコップ３０の作用について説明する。
【００１７】
前記貯氷庫１８内の氷２０を取出す際には、図２(ａ)に示すように、従来の氷取出スコップ１０と同様に、使用者は前記第１のグリップ１６を掴み、上部開口１２を上向きとした姿勢で受容部１４に氷２０を掬って外部へ取出す。この時、前記第２のグリップ３８は、前記上部開口１２の上側に向けて離間して延在しているので、氷２０を掬う際に干渉して、該氷２０が受容部１４に収納されるのを妨げることはない。
【００１８】
また、前記氷２０が貯氷庫１８の内部で氷結して氷塊２８となった際には、図２(ｂ)に示すように、使用者は、前記受容部１４の上部開口１２が使用者側へ対向するよう第２のグリップ３８に持ち替える。そして、前記氷取出スコップ３０を氷塊２８に向けて振り下ろし、該受容部１４の破砕部３６を打ちつける。すなわち、従来の第１のグリップ１６を掴んで氷２０を砕く場合に比べ、使用者は前記貯氷庫１８に深く腕２６を挿入させる必要がないので、力を加え易く、効率的に砕く作業を行なうことができる。
【００１９】
更に、前記貯氷庫１８の氷取出口２４より奥にある氷２０を掻き出す際も、前記氷取出スコップ３０の第２のグリップ３８を掴むことで、前記上部開口１２が使用者側に対向するので、使用者は腕２６を該貯氷庫１８に深く挿入するまでもなく、容易に掻き出し作業を行ない得る。
【００２０】
ここで、前記氷取出スコップ３０の不使用時には、前記貯氷庫１８の内側壁部４２に取付けた図３(ａ)に示すスコップホルダ４０を介して簡単に保持することができる。すなわちスコップホルダ４０は、平面視においてコ字状に形成され、その開放端に設けたフランジを内側壁部４２に当接した状態でネジ止め固定される。そして、図３(ｂ)に示すように、前記第２のグリップ３８を該側壁部４２とスコップホルダ４０とによって形成される空間に上方から挿通することで、前記氷取出スコップ３０を引掛けることが可能となる。すなわち、前記氷取出スコップ３０は、コンパクトな前記スコップホルダ４０に引掛けて保持させることができるので、特許文献１に開示されているスコップ収納機構を必要とせず、貯氷庫１８の内部スペースを有効に利用することができる。なお、前記スコップホルダ４０は、実施例１の形状に限定されることなく、前記氷取出スコップ３０を引掛け得るよう構成されたものであれば採用可能である。
【実施例２】
【００２１】
図４は、実施例２に係る氷取出スコップ４４を示すものである。なお、従来技術および実施例１で説明した同一の部材については、同じ符号を付し、以下において詳細説明は省略する。
【００２２】
実施例２に係る氷取出スコップ４４は、上部開口１２を有する受容部１４の一端部に形成された接続部５２に回動可能に設けられ、受容部１４から外方に延在する第１位置(図４(ａ))と、前記上部開口１２の上側に臨む第２位置(図４(ｂ))との間を回動する可動グリップ４６を有している。前記可動グリップ４６は、カギ状に折曲されて前記受容部１４の接続部５２と接続するカギ状部４８と、該カギ状部４８から外方に向けて直線的に延在する柄部５０とから構成され、前記接続部５２に枢支軸５４を介して回動可能に取付けられている。また、前記カギ状部４８は、前記可動グリップ４６が第１位置にある際に、受容部１４の一端面と当接する第１当接面５６と、該可動グリップ４６が第２位置にある際に該受容部１４と当接する第２当接面５８とを有し、該可動グリップ４６の回動可能な範囲を規制している。
【００２３】
更に、前記氷取出スコップ４４は、前記受容部１４および可動グリップ４６に設けられ、該可動グリップ４６を第１位置および第２位置に位置決めする位置決め手段６８を有している。前記位置決め手段６８は、前記可動グリップ４６のカギ状部４８に形成された孔部４８ａと、前記受容部１４の接続部５２に設けられ、前記孔部４８ａに係脱自在に係合する係合突部６０とから構成されている。この孔部４８ａは、前記カギ状部４８の所要位置に開設されており、その開口寸法は、前記係合突部６０が挿入して係合し得るよう該突部６０の直径寸法よりも僅かに大きく設定されている。また前記係合突部６０は、図４に示すように、可動グリップ４６の第１および第２位置に対応して機能する第１係合突部６０ａおよび第２係合突部６０ｂとから構成される。この第１および第２係合突部６０ａ,６０ｂの夫々は、図５に示すように、一対の半球体６２,６２によって構成されており、該半球体６２,６２は前記接続部５２に開設された通孔６４,６４内に、バネ６６を介して相互に離間するよう付勢された状態で設けられている。すなわち、前記半球体６２,６２は、前記バネ６６による弾性力によって外方(矢印)へ向かって付勢されるので、常には前記通孔６４よりその大部分が露出するようになっている。
【００２４】
〔実施例２の作用〕
次に、前述した実施例２に係る氷取出スコップ４４の作用について説明する。
【００２５】
先ず、前記貯氷庫１８の氷２０を取出す際には、図４(ａ)に示すように、前記可動グリップ４６を第１位置に回動させて該氷２０の取出し作業を行なう。この時、前記カギ状部４８の孔部４８ａは前記第１係合突部６０ａに一致し、該第１係合突部６０ａの半球体６２がバネ６６の弾性力により該孔部４８ａに挿入して係合すると共に、前記第１当接面５６が受容部１４の一端面に当接し、前記可動グリップ４６は第１位置に確実に位置決めされる。
【００２６】
また、前記貯氷庫１８の内部で氷２０が氷結して氷塊２８となった際には、図４(ｂ)に示すように、使用者は前記第１係合突部６０ａを前記孔部４８ａより内側に押込むことで、該第１係合突部６０ａと前記孔部４８ａとの係合を解除し、前記可動グリップ４８を第１位置から第２位置へと回動させる。この時、前記孔部４８ａと前記第２係合突部６０ｂとが係合すると共に、前記第２当接面５８が受容部１４に当接するので、前記可動グリップは第２位置に確実に位置決めされる。そして、前記可動グリップ４６を掴むことで、該受容部１４の破砕部３６は前記氷塊２８に指向するので、従来の氷取出スコップ１０に比べ、使用者は前記貯氷庫１８の内部に腕２６を深く挿入させることなく、効率的に前記氷塊２８を砕くことができる。更に、前記位置決め手段６８によって前記可動グリップ４６は確実に第２位置に位置決めされるので、前記氷取出スコップ４４を氷塊２８に打ちつけた際に該グリップ４６が回動することなく、好適に氷塊２８を砕く作業を行ない得る。
【００２７】
更に、前記貯氷庫１８の氷取出口２４から奥にある氷２０を掻き出す際にも、前記可動グリップ４６を第２位置に位置決めした状態で、該グリップ４６を掴むことにより、使用者は腕２６を該貯氷庫１８に深く挿入するまでもなく、容易に掻き出し作業を行なうことができる。
【００２８】
なお、実施例１において説明したスコップホルダ４０は、実施例２における氷取出スコップ４４を引掛けておくことにも利用可能である。すなわち、前記可動グリップ４６を第２位置に位置決めした状態で、該可動グリップ４６を、スコップホルダ４０と前記貯氷庫１８の内側壁部４２とで形成する空間に上方から挿通することで、前記氷取出スコップ４４を該スコップホルダ４０に引掛け得る。従って、嵩張るスコップ収納機構を必要としないので、前記貯氷庫１８の内部スペースを有効に利用することができる。
【００２９】
〔変更例〕
実施例２に係る位置決め手段６８は、前述のように、第１、第２係合突部６０ａ,６０ｂの２つの係合突部６０と１つの孔部４８ａとから構成されたものであったが、例えば、該係合突部６０を３つ以上設けたり、孔部４８ａを２つ以上設けたりすることで、前記貯氷庫１８および氷２０の形状に合わせて前記可動グリップ４６を段階的に位置決めし得るよう構成してもよい。
【図面の簡単な説明】
【００３０】
【図１】実施例１に係る氷取出スコップを示す斜視図である。
【図２】実施例１に係る氷取出スコップの使用状態を示す説明図であって、(ａ)は氷を貯氷庫から取出す場合を示し、(ｂ)は氷結した氷を砕く場合を示す。
【図３】(ａ)はスコップホルダの斜視図、(ｂ)は実施例１に係る氷取出スコップをスコップホルダに引掛けた状態を示す側面図である。
【図４】実施例２に係る氷取出スコップを示す側面図であって、(ａ)は可動グリップが第１位置にある場合を示し、(ｂ)は可動グリップが第２位置にある場合を示す。
【図５】可動グリップが第１位置に位置決めされた状態における位置決め手段を一部切欠いて示す要部拡大平面図である。
【図６】従来の氷取出スコップを示す斜視図である。
【図７】従来の氷取出スコップの使用状態を示す説明図であって、(ａ)は氷を貯氷庫から取出す場合を示し、(ｂ)は氷結した氷を砕く場合を示す。
【符号の説明】
【００３１】
１２  上部開口，  １４  受容部
１６  第１のグリップ，  １８  貯氷庫
２０  氷，  ３０  氷取出スコップ(実施例１)
３８  第２のグリップ，  ４４  氷取出スコップ(実施例２)
４６  可動グリップ，  ４８ａ  孔部
６０  係合突部，  ６８  位置決め手段
【図１】
2005274064.tif 000003
【図２】
2005274064.tif 000004
【図３】
2005274064.tif 000005
【図４】
2005274064.tif 000006
【図５】
2005274064.tif 000007
【図６】
2005274064.tif 000008
【図７】
2005274064.tif 000009